(57)【要約】【課題】印刷出力の可能な場所を容易に探す。【解決手段】メインサーバ装置１のＲＡＭ１２は、プリンタが配設された店舗の位置を示す店舗位置情報を格納する店舗記憶部１２２と、を備え、メインサーバ装置１のＣＰＵ１１は、携帯電話機２から、ＧＰＳ機能によって取得された位置情報である端末位置情報を受け付ける位置受付部１１１と、端末位置情報に対応する位置から予め設定された所定範囲の店舗の店舗位置情報を、地図情報に基づいて店舗記憶部１２２から抽出する店舗抽出部１１３と、抽出された店舗位置情報を、携帯電話機２に送信する情報送信部１１５と、を備え、携帯電話機２は、メインサーバ装置１から店舗位置情報を受信して、外部から視認可能に表示する店舗位置表示部２７７と、を備えている。【選択図】図４
2008102653.tif 000002
【特許請求の範囲】
【請求項１】
ＧＰＳ（Ｇｌｏｂａｌ  Ｐｏｓｉｔｉｏｎｉｎｇ  Ｓｙｓｔｅｍ）機能を有する移動体通信端末装置と、前記移動体通信端末装置と通信可能に接続された第１サーバ装置と、を備える通信システムであって、
前記第１サーバ装置は、
地図情報を格納する地図記憶手段と、
記録紙上に画像を形成する画像形成装置が配設された店舗の所在地の位置を示す店舗位置情報を格納する店舗記憶手段と、
１の移動体通信端末装置から、前記ＧＰＳ機能によって取得された、当該１の移動体通信端末装置の位置情報である端末位置情報を受け付ける位置受付手段と、
前記位置受付手段によって端末位置情報が受け付けられた場合に、前記端末位置情報に対応する位置から予め設定された所定範囲内に、前記店舗位置情報に対応する所在地が存在している店舗の店舗位置情報を、前記地図情報に基づいて前記店舗記憶手段から抽出する店舗抽出手段と、
抽出された店舗位置情報を、前記１の移動体通信端末装置に送信する情報送信手段と、
を備え、
前記移動体通信端末装置は、
前記ＧＰＳ機能によって位置情報を取得すると共に、取得された位置情報を前記第１サーバ装置へ送信する位置送信手段と、
前記第１サーバ装置から店舗位置情報を受信して、外部から視認可能に表示する店舗位置表示手段と、
を備えることを特徴とする通信システム。
【請求項２】
前記店舗記憶手段は、前記店舗位置情報を店舗の名称を示す店舗名称情報と対応付けて格納し、
前記店舗抽出手段は、前記店舗記憶手段から前記店舗位置情報に対応する店舗名称情報を抽出し、
前記情報送信手段は、抽出された店舗名称情報を前記１の移動体通信端末装置に送信し、
前記店舗位置表示手段は、前記第１サーバ装置から店舗名称情報を受信して、外部から視認可能に表示することを特徴とする請求項１に記載の通信システム。
【請求項３】
前記第１サーバ装置は、
前記端末位置情報に対応する位置と、前記店舗抽出手段によって抽出された店舗位置情報に対応する位置と、を含む地図情報である抽出地図情報を、前記地図記憶手段に格納された地図情報から生成する地図生成手段を備え、
前記情報送信手段は、前記地図生成手段によって生成された抽出地図情報を前記１の移動体通信端末装置に送信し、
前記店舗位置表示手段は、前記第１サーバ装置から抽出地図情報を受信して、外部から視認可能に表示することを特徴とする請求項１又は請求項２に記載の通信システム。
【請求項４】
前記移動体通信端末装置は、
文字情報及び画像情報の少なくとも一方が格納されたファイル情報を格納する第２サーバ装置と通信可能に接続されると共に、
前記第２サーバ装置から前記ファイル情報を取得するファイル取得手段を備え、
前記位置送信手段は、前記ファイル取得手段によってファイル情報が取得される度に、位置情報を前記第１サーバ装置へ送信することを特徴とする請求項１〜３のいずれかに記載の通信システム。
【請求項５】
前記移動体通信端末装置は、
外部からの操作入力を受け付けて、受け付けた操作入力に基づいて、位置情報を前記第１サーバ装置へ送信するか否かを設定する送信設定手段と、
前記ファイル取得手段によってファイル情報が取得された場合であっても、前記送信設定手段によって位置情報を前記第１サーバ装置へ送信しないと設定されている場合には、前記位置送信手段に対して、位置情報を前記第１サーバ装置へ送信することを禁止する送信禁止手段と、
を備えことを特徴とする請求項４に記載の通信システム。
【請求項６】
前記店舗抽出手段は、前記端末位置情報に対応する位置からの距離が最も短い位置に、前記店舗位置情報に対応する所在地が存在している店舗の店舗位置情報を、前記地図情報に基づいて前記店舗記憶手段から抽出することを特徴とする請求項１〜請求項５のいずれかに記載の通信システム。
【請求項７】
前記移動体通信端末装置は、
外部からの操作入力を受け付けて、受け付けた操作入力に対応する目的地の位置を設定する目的地設定手段を備え、
前記位置送信手段は、前記目的地設定手段によって設定された目的地の位置情報を前記第１サーバ装置へ送信し、
前記第１サーバ装置は、
前記地図情報に基づいて、前記端末位置情報に対応する位置から前記目的地の位置までの経路を生成する経路生成手段を備え、
前記位置受付手段は、前記移動体通信端末装置から目的地の位置情報を受け付け、
前記店舗抽出手段は、前記経路生成手段によって生成された経路から予め設定された所定範囲内に、前記店舗位置情報に対応する所在地が存在している店舗の店舗位置情報を、前記地図情報に基づいて前記店舗記憶手段から抽出することを特徴とする請求項１〜請求項５のいずれかに記載の通信システム。
【請求項８】
前記移動体通信端末装置は、
目的地の位置情報を格納する目的地記憶手段を備え、
前記目的地設定手段は、前記目的地記憶手段から目的地の位置情報を読み出して、外部から選択可能に表示すると共に、外部からの目的地の位置を選択する操作入力を受け付けて、受け付けた操作入力に対応する目的地の位置を設定することを特徴とする請求項７に記載の通信システム。
【発明の詳細な説明】
【技術分野】
【０００１】
本発明は、ＧＰＳ機能を有する移動体通信端末装置と、前記移動体通信端末装置と通信可能に接続されたサーバ装置と、を備える通信システムに関するものである。特に、ＧＰＳ機能を有する携帯電話機と、当該携帯電話機とインターネットを介して通信可能に接続されたサーバ装置と、を備える通信システムに関するものである。
【背景技術】
【０００２】
近年、ノート型パソコン、ＰＤＡ（Ｐｅｒｓｏｎａｌ  Ｄｉｇｉｔａｌ  Ａｓｓｉｓｔａｎｔｓ）等の軽量化、小型化に伴い、客先、出張先等の外出先にこれらを持参することが可能となったが、プリンタ等の画像形成装置は嵩張る（又は、重い）ので持参することは困難である。また、外出先で多数枚の文書を必要とする場合には、文書を持参することは、文書が嵩張り且つ重いので非効率的であった。
【０００３】
上記課題に対して、例えば、インターネットに接続可能に構成され、印刷装置を有する印刷サーバを、各駅、及び宿泊施設等に配設して、ユーザの持つ携帯電話から文書ファイルの転送及び印刷を指示することができる印刷サービスシステムが開示されている（特許文献１参照）。
【特許文献１】特開２００２−３６６３１４号公報
【発明の開示】
【発明が解決しようとする課題】
【０００４】
このシステムによれば、ユーザが所望する場所での印刷出力が可能となり、利便性が向上される。しかしながら、印刷出力の可能な場所の所在地がユーザにとって不明な場合には、その場所を探す必要がある。特に、出張先等の地理に不案内な場所で、印刷出力の可能な場所の所在地を探すことは、ユーザにとって困難な場合が多い。
【０００５】
本発明は、上記課題に鑑みてなされたものであって、印刷出力の可能な場所を容易に探すことの可能な通信システムを提供することを目的としている。
【課題を解決するための手段】
【０００６】
上記目的を達成するために請求項１に記載の通信システムは、ＧＰＳ機能を有する移動体通信端末装置と、前記移動体通信端末装置と通信可能に接続された第１サーバ装置と、を備える通信システムであって、前記第１サーバ装置が、地図情報を格納する地図記憶手段と、記録紙上に画像を形成する画像形成装置が配設された店舗の所在地の位置を示す店舗位置情報を格納する店舗記憶手段と、１の移動体通信端末装置から、前記ＧＰＳ機能によって取得された、当該１の移動体通信端末装置の位置情報である端末位置情報を受け付ける位置受付手段と、前記位置受付手段によって端末位置情報が受け付けられた場合に、前記端末位置情報に対応する位置から予め設定された所定範囲内に、前記店舗位置情報に対応する所在地が存在している店舗の店舗位置情報を、前記地図情報に基づいて前記店舗記憶手段から抽出する店舗抽出手段と、抽出された店舗位置情報を、前記１の移動体通信端末装置に送信する情報送信手段と、を備え、前記移動体通信端末装置が、前記ＧＰＳ機能によって位置情報を取得すると共に、取得された位置情報を前記第１サーバ装置へ送信する位置送信手段と、前記第１サーバ装置から店舗位置情報を受信して、外部から視認可能に表示する店舗位置表示手段と、を備えることを特徴としている。
【０００７】
請求項２に記載の通信システムは、請求項１に記載の通信システムであって、前記店舗記憶手段が、前記店舗位置情報を店舗の名称を示す店舗名称情報と対応付けて格納し、前記店舗抽出手段が、前記店舗記憶手段から前記店舗位置情報に対応する店舗名称情報を抽出し、前記情報送信手段が、抽出された店舗名称情報を前記１の移動体通信端末装置に送信し、前記店舗位置表示手段が、前記第１サーバ装置から店舗名称情報を受信して、外部から視認可能に表示することを特徴としている。
【０００８】
請求項３に記載の通信システムは、請求項１又は請求項２に記載の通信システムであって、前記第１サーバ装置が、前記端末位置情報に対応する位置と、前記店舗抽出手段によって抽出された店舗位置情報に対応する位置と、を含む地図情報である抽出地図情報を、前記地図記憶手段に格納された地図情報から生成する地図生成手段を備え、前記情報送信手段が、前記地図生成手段によって生成された抽出地図情報を前記１の移動体通信端末装置に送信し、前記店舗位置表示手段が、前記第１サーバ装置から抽出地図情報を受信して、外部から視認可能に表示することを特徴としている。
【０００９】
請求項４に記載の通信システムは、請求項１〜請求項３のいずれかに記載の通信システムであって、前記移動体通信端末装置が、文字情報及び画像情報の少なくとも一方が格納されたファイル情報を格納する第２サーバ装置と通信可能に接続されると共に、前記第２サーバ装置から前記ファイル情報を取得するファイル取得手段を備え、前記位置送信手段が、前記ファイル取得手段によってファイル情報が取得される度に、位置情報を前記第１サーバ装置へ送信することを特徴としている。
【００１０】
請求項５に記載の通信システムは、請求項４に記載の通信システムであって、前記移動体通信端末装置が、外部からの操作入力を受け付けて、受け付けた操作入力に基づいて、位置情報を前記第１サーバ装置へ送信するか否かを設定する送信設定手段と、前記ファイル取得手段によってファイル情報が取得された場合であっても、前記送信設定手段によって位置情報を前記第１サーバ装置へ送信しないと設定されている場合には、前記位置送信手段に対して、位置情報を前記第１サーバ装置へ送信することを禁止する送信禁止手段と、を備えることを特徴としている。
【００１１】
請求項６に記載の通信システムは、請求項１〜請求項５のいずれかに記載の通信システムであって、前記店舗抽出手段が、前記端末位置情報に対応する位置からの距離が最も短い位置に、前記店舗位置情報に対応する所在地が存在している店舗の店舗位置情報を、前記地図情報に基づいて前記店舗記憶手段から抽出することを特徴としている。
【００１２】
請求項７に記載の通信システムは、請求項１〜請求項５のいずれかに記載の通信システムであって、前記移動体通信端末装置は、外部からの操作入力を受け付けて、受け付けた操作入力に対応する目的地の位置を設定する目的地設定手段を備え、前記位置送信手段は、前記目的地設定手段によって設定された目的地の位置情報を前記第１サーバ装置へ送信し、前記第１サーバ装置は、前記地図情報に基づいて、前記端末位置情報に対応する位置から前記目的地の位置までの経路を生成する経路生成手段を備え、前記位置受付手段が、前記移動体通信端末装置から目的地の位置情報を受け付け、前記店舗抽出手段が、前記経路生成手段によって生成された経路から予め設定された所定範囲内に、前記店舗位置情報に対応する所在地が存在している店舗の店舗位置情報を、前記地図情報に基づいて前記店舗記憶手段から抽出することを特徴としている。
【００１３】
請求項８に記載の通信システムは、請求項７に記載の通信システムであって、前記移動体通信端末装置が、目的地の位置情報を格納する目的地記憶手段を備え、前記目的地設定手段が、前記目的地記憶手段から目的地の位置情報を読み出して、外部から選択可能に表示すると共に、外部からの目的地の位置を選択する操作入力を受け付けて、受け付けた操作入力に対応する目的地の位置を設定することを特徴としている。
【発明の効果】
【００１４】
請求項１に記載の通信システムによれば、第１サーバ装置によって、１の移動体通信端末装置から、ＧＰＳ機能によって取得された、当該１の移動体通信端末装置の位置情報である端末位置情報が受け付けられ、受け付けられた端末位置情報に対応する位置から予め設定された所定範囲内に、記録紙上に画像を形成する画像形成装置が配設された店舗の所在地が存在している店舗の店舗位置情報が、地図情報に基づいて抽出され、抽出された店舗位置情報が、１の移動体通信端末装置に送信される。そして、移動体通信端末装置によって、第１サーバ装置から店舗位置情報が受信され、外部から視認可能に表示されるため、印刷出力の可能な場所を容易に探すことができる。
【００１５】
すなわち、ユーザが携帯する移動体通信端末装置の位置から所定範囲内に存在している店舗の所在地の位置を示す店舗位置情報が、移動体通信端末装置に外部から視認可能に表示されるため、ユーザは、移動体通信端末装置に表示された店舗位置情報によって印刷出力の可能な場所を容易に探すことができるのである。ここで、「店舗」とは、プリンタ等の画像形成装置が配設されたコンビニエンスストア等の店舗に限らず、プリンタ等の画像形成装置が配設され、ユーザが利用可能な場所一般を指すものである。例えば、プリンタ等が配設された営業所等のオフィスでもよい。
【００１６】
請求項２に記載の通信システムによれば、ユーザが携帯する移動体通信端末装置の位置から所定範囲内に存在している店舗の名称を示す店舗名称情報が、移動体通信端末装置に外部から視認可能に表示されるため、ユーザは、移動体通信端末装置に表示された店舗名称情報によって印刷出力の可能な場所を更に容易に探すことができる。
【００１７】
請求項３に記載の通信システムによれば、端末位置情報に対応する位置と、店舗位置情報に対応する位置と、を含む地図情報である抽出地図情報が、移動体通信端末装置に外部から視認可能に表示されるため、ユーザは、移動体通信端末装置に表示された店舗名称情報によって印刷出力の可能な場所を更に容易に探すことができる。
【００１８】
請求項４に記載の通信システムによれば、第２サーバ装置から文字情報及び画像情報の少なくとも一方が格納されたファイル情報が取得される度に、移動体通信端末装置から端末位置情報が第１サーバ装置へ送信されるため、第１サーバ装置からユーザが携帯する移動体通信端末装置の位置から所定範囲内に存在している店舗の所在地の位置を示す店舗位置情報が受信され、外部から視認可能に表示されるので、印刷出力の可能な場所を更に容易に探すことができる。
【００１９】
すなわち、ユーザが第２サーバ装置からファイル情報を取得した際に、移動体通信端末装置に配設された操作キー等を操作して端末位置情報を第１サーバ装置へ送信する必要がないため、操作が簡略化され、印刷出力の可能な場所を更に容易に探すことができるのである。
【００２０】
請求項５に記載の通信システムによれば、外部からの操作入力を受け付けて、受け付けた操作入力に基づいて、位置情報を第１サーバ装置へ送信しないと設定されている場合には、位置情報を第１サーバ装置へ送信することが禁止されるため、利便性を向上することができる。
【００２１】
すなわち、ユーザが店舗位置情報を受信する必要がない場合（例えば、予め店舗位置情報を有している場合）、又は、移動体通信端末を他の用途に使用したい場合等においては、ユーザが位置情報を第１サーバ装置へ送信しないと設定することによって、位置情報を第１サーバ装置へ送信することが禁止されるため、利便性を向上することができるのである。
【００２２】
請求項６に記載の通信システムによれば、端末位置情報に対応する位置からの距離が最も短い位置に、所在地が存在している店舗の店舗位置情報が抽出され、移動体通信端末装置に外部から視認可能に表示されるため、ユーザは、移動体通信端末装置に表示された店舗位置情報によって印刷出力の可能な場所を更に容易に探すことができる。
【００２３】
請求項７に記載の通信システムによれば、移動体通信端末装置から目的地の位置情報が受け付けられ、端末位置情報に対応する位置から目的地の位置までの経路が生成される。そして、生成された経路から予め設定された所定範囲内に、店舗位置情報に対応する所在地が存在している店舗の店舗位置情報が抽出されて、移動体通信端末装置に外部から視認可能に表示されるため、ユーザは、移動体通信端末装置に表示された店舗位置情報によって印刷出力の可能な場所を更に容易に探すことができる。
【００２４】
すなわち、ユーザが目的地に到着するまでに（＝目的地への移動中に）印刷出力することを所望する場合には、端末位置情報に対応する位置から目的地の位置までの経路に近接して配設された店舗を探すことが可能となるため、印刷出力の可能な場所を更に容易に探すことができるのである。
【００２５】
請求項８に記載の通信システムによれば、目的地記憶手段から目的地の位置情報が読み出されて、外部から選択可能に表示されると共に、外部からの目的地の位置を選択する操作入力が受け付けられて、受け付けられた操作入力に対応する目的地の位置が設定されるため、目的地の位置を容易に設定することができるので、利便性を向上することができる。
【発明を実施するための最良の形態】
【００２６】
以下、本発明に係る通信システムの一例について図面を参照して説明する。図１は、本発明に係る通信システムの接続状態の一例を示す構成図である。メインサーバ装置１は、インターネットを介して、複数の（ここでは３台の）携帯電話機２及び複数の（ここでは３台の）ファイルサーバ装置３と通信可能に接続されている。
【００２７】
携帯電話機２（移動体通信端末装置に相当する）は、ファイルサーバ装置３から文字情報及び画像情報の少なくとも一方が格納されたファイル情報を取得するものである。また、携帯電話機２は、ＧＰＳ（Ｇｌｏｂａｌ  Ｐｏｓｉｔｉｏｎｉｎｇ  Ｓｙｓｔｅｍ）機能を備え、予め設定された所定のタイミング（例えば、ファイルサーバ装置３からファイル情報を取得したタイミング等）で、ＧＰＳ機能により取得した位置情報を、インターネットを介して、メインサーバ装置１に送信するものである。更に、携帯電話機２は、インターネットを介して、メインサーバ装置１から店舗位置情報、店舗名称情報、及び、地図情報等を受信し、ユーザに対して視認可能に表示するものである。
【００２８】
メインサーバ装置１（第１サーバ装置に相当する）は、インターネットを介して、携帯電話機２から位置情報（＝端末位置情報）を受信して、その位置情報から予め設定された所定範囲内に所在地が存在している店舗の店舗位置情報、店舗名称情報、及び、地図情報等を携帯電話機２へ送信するものである。ここで、「店舗」とは、プリンタ等の画像形成装置が配設されたコンビニエンスストア等の店舗に限らず、プリンタ等の画像形成装置が配設され、ユーザが利用可能な場所一般を指すものである。例えば、プリンタ等が配設された営業所等のオフィスでもよい。
【００２９】
ファイルサーバ装置３（第２サーバ装置に相当する）は、文字情報及び画像情報の少なくとも一方が格納されたファイル情報を格納するものであって、インターネットを介して、携帯電話機２からの要求に応じて、ファイル情報を携帯電話機２に送信するものである。
【００３０】
図２は、メインサーバ装置１及びファイルサーバ装置３の構成の一例を示す構成図である。メインサーバ装置１とファイルサーバ装置３とは、略同一の構成を有するため、ここでは、便宜上、メインサーバ装置１について説明する。メインサーバ装置１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、モニタ１４、入力部１５、ＨＤＤ（Ｈａｒｄ  Ｄｉｓｋ  Ｄｒｉｖｅ）１６、通信部１７、及び、バス１８を備えている。
【００３１】
ＣＰＵ１１は、バス１８を介して、ＲＡＭ１２、ＲＯＭ１３、モニタ１４等とデータ伝送可能に構成され、メインサーバ装置１全体の動作を制御するものである。ＲＡＭ１２及びＨＤＤ１６は、後述する地図情報等の種々の情報を格納するものである。ＲＯＭ１３は、ＣＰＵ１１を動作させる制御プログラム等を格納するものである。モニタ１４は、ＬＣＤ（Ｌｉｑｕｉｄ  Ｃｒｙｓｔａｌ  Ｄｉｓｐｌａｙ）等からなり、種々の情報を外部から視認可能に表示するものである。入力部１５は、キーボード、マウス等からなり、外部からの操作入力を受け付けるものである。通信部１７は、インターネットを介して、携帯電話機２と通信するものである。
【００３２】
図３は、携帯電話機２の構成の一例を示す構成図である。図２に示すように、携帯電話機２は、入力部２１、ディスプレイ２２、マイクロフォン２３、スピーカ２４、アンテナ２５、及び、サブディスプレイ２６を備えている。
【００３３】
入力部２１は、外部からの操作入力を受け付けるものであって、電源キー、テンキー、方向キー、決定キー、通話キー、及び、クリアキー等を備えている。電源キーは、電源をオンオフする場合及びオフフックする場合（＝通話を終了する場合）に押下されるキーである。テンキーは、数字等の文字を入力する場合の押下されるキーであって、０〜９の数字を入力可能に構成されている。通話キーは、オンフックする場合（＝通話を開始する場合）に押下されるキーである。
【００３４】
ディスプレイ２２は、ＬＣＤ（Ｌｉｑｕｉｄ  Ｃｒｙｓｔａｌ  Ｄｉｓｐｌａｙ）等からなり、操作情報、ガイダンス情報、設定情報等の種々の情報を外部から視認可能に表示するものである。マイクロフォン２３は、外部からの音声を受け付けるものであって、通話機能においては、ユーザの声等を受け付けるものである。スピーカ２４は、種々の音声を出力するものであって、通話機能においては、携帯電話機２と中継局を介して通信可能に接続された他の携帯電話機（又は固定電話）等のユーザの発する音声等を出力するものである。
【００３５】
アンテナ２５は、ＧＰＳ衛星からのＧＰＳ信号を受信すると共に、他の携帯電話機（又は固定電話）等から発せられた音声、又は、文字情報等の送信信号を受信するものである。サブディスプレイ２６は、背面側に配設されたＬＣＤ等からなり、時刻情報等を外部から視認可能に表示するものである。
【００３６】
更に、携帯電話機２は、ＧＰＳ通信部２５１、電話通信部２５２、制御部２７、及び、入出力切換回路２８を備えている。ＧＰＳ通信部２５１は、アンテナ２５を介して、ＧＰＳ衛星と通信し、位置情報を取得するものである。電話通信部２５２は、アンテナ２５を介して、他の携帯電話機（又は固定電話）等から発せられた音声、又は、文字情報等の送信信号を受信するものである。
【００３７】
制御部２７は、図略のＣＰＵ、ＲＡＭ、ＲＯＭ等からなり、携帯電話機２全体の動作を制御するものである。ここでは、制御部２７は、電話通信部２５２及びインターネットを介して、メインサーバ装置１と種々の情報を通信するものである。具体的には、制御部２７は、ＧＰＳ通信部２５１を介して、予め設定された所定のタイミング（例えば、ファイルサーバ装置３からファイル情報を取得したタイミング等）で位置情報を取得し、取得した位置情報をメインサーバ装置１に対して送信するものである。更に、制御部２７は、メインサーバ装置１から店舗位置情報、店舗名称情報、及び、地図情報等を受信し、ディスプレイ２２を介してユーザに視認可能に表示するものである。
【００３８】
入出力切換回路２８は、マイクロフォン２３、及び、スピーカ２４に対して、時分割的に、マイクロフォン２３からの入力信号を受け付けて制御部２７へ伝送し、制御部２７からの指示に応じてスピーカ２４に対して出力信号を出力するものである。
【００３９】
図４は、携帯電話機２の制御部２７、及び、メインサーバ装置１のＣＰＵ１１、ＲＡＭ１２の機能構成の一例を示す構成図である。制御部２７は、機能的に、送信設定部２７１、送信禁止部２７２、ファイル取得部２７３、位置送信部２７４、目的地記憶部２７５、目的地設定部２７６、及び、店舗位置表示部２７７を備えている。また、ＣＰＵ１１は、機能的に、位置受付部１１１、経路生成部１１２、店舗抽出部１１３、地図生成部１１４、及び、情報送信部１１５を備え、ＲＡＭ１２は、機能的に、地図記憶部１２１、及び、店舗記憶部１２２を備えている。
【００４０】
ここでは、制御部２７に配設された図略のＣＰＵが、図略のＲＯＭ等に予め格納された制御プログラムを読み出して実行することにより、送信設定部２７１、送信禁止部２７２、ファイル取得部２７３、位置送信部２７４、目的地設定部２７６、店舗位置表示部２７７として機能すると共に、図略のＲＡＭを目的地記憶部２７５等の機能部として機能させるものである。また、ＣＰＵ１１が、図２に示すＲＯＭ１３等に予め格納された制御プログラムを読み出して実行することにより、位置受付部１１１、経路生成部１１２、店舗抽出部１１３、地図生成部１１４、情報送信部１１５等の機能部として機能すると共に、ＲＡＭ１２を、地図記憶部１２１、及び、店舗記憶部１２２等の機能部として機能させるものである。
【００４１】
また、図２に示すＲＡＭ１２、ＲＯＭ１３、制御部２７に配設された図略のＲＡＭ、ＲＯＭ等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４２】
まず、携帯電話機２の制御部２７の機能構成について説明する。送信設定部２７１（送信設定手段に相当する）は、入力部２１を介して、ユーザからの操作入力を受け付けて、受け付けた操作入力に基づいて、位置情報をメインサーバ装置１へ送信するか否かを設定するものである。
【００４３】
送信禁止部２７２（送信禁止手段に相当する）は、ファイル取得部２７３によってファイル情報が取得された場合であっても、送信設定部２７１によって位置情報をメインサーバ装置１へ送信しないと設定されている場合には、位置送信部２７４に対して、位置情報をメインサーバ装置１へ送信することを禁止するものである。
【００４４】
ファイル取得部２７３（ファイル取得手段に相当する）は、ファイルサーバ装置３から文字情報及び画像情報の少なくとも一方が格納されたファイル情報（例えば、文書ファイル、画像ファイル等）を取得するものである。
【００４５】
位置送信部２７４（位置送信手段に相当する）は、予め設定されたタイミング（ここでは、ファイル取得部２７３によってファイル情報が取得されたタイミング）で、ＧＰＳ機能を介して（＝図３に示すＧＰＳ通信部２５１を介して）位置情報を取得し、取得された位置情報（＝端末位置情報）をメインサーバ装置１へ送信するものである。ただし、送信禁止部２７２によって、位置情報をメインサーバ装置１へ送信することが禁止されている場合には、位置送信部２７４は、位置情報をメインサーバ装置１へ送信する処理を実行しないものである。
【００４６】
また、位置送信部２７４は、入力部２１を介してユーザからの地図情報を取得する旨の操作入力を受け付けて、受け付けられた操作入力に基づいて、ＧＰＳ機能を介して（＝図３に示すＧＰＳ通信部２５１を介して）位置情報を取得し、取得された位置情報（＝端末位置情報）及び地図情報を取得する旨の情報をメインサーバ装置１へ送信するものである。更に、位置送信部２７４は、目的地設定部２７６によって設定された目的地の位置情報をメインサーバ装置１へ送信するものである。
【００４７】
目的地記憶部２７５（目的地記憶手段に相当する）は、目的地設定部２７６によって設定された（又は、予め設定された）目的地の位置情報を格納するものである。具体的には、目的地記憶部２７５は、目的地の位置情報（＝所在地情報）を目的地の名称情報（例えば、「○○会社大阪本社」等）と対応付けて格納するものである。
【００４８】
目的地設定部２７６（目的地設定手段に相当する）は、入力部２１を介してユーザからの操作入力を受け付けて、受け付けた操作入力に対応する目的地の位置を設定するものである。また、目的地設定部２７６は、目的地記憶部２７５から目的地の位置情報を読み出して、ディスプレイ２２を介してユーザから選択可能に表示すると共に、入力部２１を介して、ユーザからの目的地の位置を選択する操作入力を受け付けて、受け付けた操作入力に対応する目的地の位置を設定するものである。
【００４９】
店舗位置表示部２７７（店舗位置表示手段に相当する）は、メインサーバ装置１から店舗位置情報、店舗名称情報、及び地図情報（＝後述する抽出地図情報、携帯位置地図情報）を受信して、ディスプレイ２２を介してユーザから視認可能に表示するものである。具体的には、店舗位置表示部２７７は、端末位置情報に対応する位置と、店舗位置情報に対応する位置と、を含む地図をディスプレイ２２に表示するものである。例えば、店舗位置表示部２７７は、地図上の端末位置情報に対応する位置に、ユーザの現在位置を示すマーク（例えば、○印）を表示すると共に、地図上の店舗位置情報に対応する位置に、店舗名称及び店舗位置を示すマーク（例えば、△印）を表示するものである。
【００５０】
更に、店舗位置表示部２７７は、メインサーバ装置１から経路生成部１１２によって設定された経路情報を受信して、目的地設定部２７６によって設定された目的地の位置及び名称と共に、地図上に表示するものである。例えば、店舗位置表示部２７７は、地図上に、経路生成部１１２によって設定された経路を赤い線で表示すると共に、目的地の名称及び目的地の位置を示すマーク（例えば、□印）を表示するものである。
【００５１】
次に、メインサーバ装置１のＣＰＵ１１、ＲＡＭ１２の機能構成について説明する。位置受付部１１１（位置受付手段に相当する）は、携帯電話機２（位置送信部２７４）から端末位置情報、目的地の位置情報、及び、地図情報を取得する旨の情報を受け付けるものである。
【００５２】
経路生成部１１２（経路生成手段に相当する）は、地図記憶部１２１に格納された地図情報に基づいて、位置受付部１１１によって受け付けられた端末位置情報に対応する位置から目的地の位置までの経路を、予め設定されたルールに則って生成するものである。ここで、予め設定されたルールとは、例えば、目的地までの距離が最短となるルートである最短ルート等を生成するものである。
【００５３】
店舗抽出部１１３（店舗抽出手段に相当する）は、位置受付部１１１によって端末位置情報が受け付けられた場合に、端末位置情報に対応する位置から予め設定された所定範囲内に、店舗位置情報に対応する所在地が存在している店舗の店舗位置情報を、地図記憶部１２１に格納された地図情報に基づいて店舗記憶部１２２から抽出するものである。
【００５４】
具体的には、位置受付部１１１によって目的地の位置情報が受け付けられていない場合には、店舗抽出部１１３は、端末位置情報に対応する位置からの距離が最も短い位置に、店舗位置情報に対応する所在地が存在している店舗の店舗位置情報を、地図情報に基づいて店舗記憶部１２２から抽出するものである。
【００５５】
また、位置受付部１１１によって目的地の位置情報が受け付けられた場合には、店舗抽出部１１３は、経路生成部１１２によって生成された経路から予め設定された所定範囲内（例えば、２００ｍ以内）に、店舗位置情報に対応する所在地が存在している店舗の店舗位置情報を、地図情報に基づいて店舗記憶部１２２から抽出するものである。
【００５６】
地図生成部１１４（地図生成手段に相当する）は、端末位置情報に対応する位置と、店舗抽出部１１３によって抽出された店舗位置情報に対応する位置と、を含む地図情報である抽出地図情報を、地図記憶部１２１に格納された地図情報から生成するものである。また、位置受付部１１１によって地図情報を取得する旨の情報が受け付けられた場合には、地図生成部１１４は、端末位置情報に対応する位置を含む地図情報である携帯位置地図情報を地図記憶部１２１に格納された地図情報から生成するものである。例えば、地図生成部１１４は、携帯電話機２のディスプレイ２２に配設されたＬＣＤに表示可能なサイズの画像情報として抽出地図情報及び携帯位置地図情報を生成するものである。
【００５７】
情報送信部１１５（情報送信手段に相当する）は、店舗抽出部１１３によって抽出された店舗位置情報及び店舗名称情報を、携帯電話機２（店舗位置表示部２７７）に送信するものである。また、情報送信部１１５は、地図生成部１１４によって生成された抽出地図情報、携帯位置地図情報、及び、経路生成部１１２によって生成された経路情報を、携帯電話機２（店舗位置表示部２７７）に送信するものである。
【００５８】
地図記憶部１２１（地図記憶手段に相当する）は、地図情報を格納するものである。店舗記憶部１２２（店舗記憶手段に相当する）は、記録紙上に画像を形成するプリンタ等の画像形成装置が配設された店舗の所在地の位置を示す店舗位置情報を店舗の名称を示す店舗名称情報と対応付けて格納するものである。
【００５９】
図５は、携帯電話機２（主に制御部２７）の動作の一例を示すフローチャートである。まず、位置送信部２７４によって、ファイル取得部２７３によりファイルサーバ装置３からファイル情報が取得されたか否かの判定が行われる（Ｓ１０１）。ファイル情報が取得されていない場合（Ｓ１０１でＮＯ）には、処理が待機状態とされる。ファイル情報が取得された場合（Ｓ１０１でＹＥＳ）には、位置送信部２７４によって、送信設定部２７１により位置情報をメインサーバ装置１へ送信する（以下、「検索設定ＯＮ」という）と設定されているか否かの判定が行われる（Ｓ１０３）。メインサーバ装置１へ送信する（＝検索設定ＯＮ）と設定されている場合（Ｓ１０３でＹＥＳ）には、携帯電話機２の位置からの距離が最も短い位置に存在している店舗を表示する処理である近接店舗位置表示処理が実行され（Ｓ１０５）、処理がステップＳ１０７に進められる。
【００６０】
ステップＳ１０５の処理が終了した場合、ステップＳ１０９の処理が終了した場合、ステップＳ１１３の処理が終了した場合、ステップＳ１１７の処理が終了した場合、又は、メインサーバ装置１へ送信しない（＝以下、「検索設定ＯＦＦ」という）と設定されている場合（Ｓ１０３でＮＯ）には、位置送信部２７４によって、ユーザから地図情報を取得する旨の操作入力が受け付けられたか否かの判定が行われる（Ｓ１０７）。地図情報を取得する旨の操作入力が受け付けられたと判定された場合（Ｓ１０７でＹＥＳ）には、携帯電話機２の位置を地図上に表示する処理である携帯位置表示処理が実行され（Ｓ１０９）、処理がステップＳ１０７に戻され、ステップＳ１０７以降の処理が繰り返し実行される。
【００６１】
ステップＳ１０９の処理が終了した場合、又は、地図情報を取得する旨の操作入力が受け付けられていないと判定された場合（Ｓ１０７でＮＯ）には、目的地設定部２７６によって、目的地を設定するか否かの判定が行われる（Ｓ１１１）。目的地を設定すると判定された場合（Ｓ１１１でＹＥＳ）には、目的地を設定する処理である目的地設定処理が実行され（Ｓ１１３）、処理がステップＳ１０７に戻され、ステップＳ１０７以降の処理が繰り返し実行される。
【００６２】
ステップＳ１１５の処理が終了した場合、又は、目的地を設定しないと判定された場合（Ｓ１１１でＮＯ）には、送信設定部２７１によって、位置情報をメインサーバ装置１へ送信するか否かの設定を行うか否かの判定が行われる（Ｓ１１５）。設定を行うと判定された場合（Ｓ１１５でＹＥＳ）には、位置情報をメインサーバ装置１へ送信するか否かの設定の処理である条件設定処理が実行され（Ｓ１１７）、処理がステップＳ１０７に戻され、ステップＳ１０７以降の処理が繰り返し実行される。
【００６３】
ステップＳ１１９の処理が終了した場合、又は、設定を行わないと判定された場合（Ｓ１１５でＮＯ）には、送信設定部２７１によって、処理を終了するか否かの判定が行われる（Ｓ１１９）。処理を終了しないと判定された場合（Ｓ１１９でＮＯ）には、処理がステップＳ１０７に戻され、ステップＳ１０７以降の処理が繰り返し実行される。処理を終了すると判定された場合（Ｓ１１９でＹＥＳ）には、処理が終了される。
【００６４】
図６は、図５に示すフローチャートのステップＳ１０５において実行される近接店舗位置表示処理の一例を示す詳細フローチャートである。まず、位置送信部２７４によって、ＧＰＳ機能を介して位置情報が取得される（Ｓ２０１）。そして、位置送信部２７４によって、取得された位置情報がメインサーバ装置１（位置受付部１１１）へ送信される（Ｓ２０３）。次いで、店舗位置表示部２７７によって、メインサーバ装置１（情報送信部１１５）から店舗位置情報、店舗名称情報及び抽出地図情報が受信されたか否かの判定が行われる（Ｓ２０５）。店舗位置情報、店舗名称情報及び抽出地図情報が受信されていないと判定された場合（Ｓ２０５でＮＯ）には、処理が待機状態とされる。店舗位置情報、店舗名称情報及び抽出地図情報が受信されたと判定された場合（Ｓ２０５でＹＥＳ）には、店舗位置表示部２７７によって、ディスプレイ２２を介して店舗位置情報、店舗名称情報及び抽出地図情報が表示され（Ｓ２０７）、処理がリターンされる。
【００６５】
図７は、図５に示すフローチャートのステップＳ１０９において実行される携帯位置表示処理の一例を示す詳細フローチャートである。まず、位置送信部２７４によって、ＧＰＳ機能を介して位置情報が取得される（Ｓ３０１）。そして、位置送信部２７４によって、取得された位置情報がメインサーバ装置１（位置受付部１１１）へ送信される（Ｓ３０３）。次いで、店舗位置表示部２７７によって、メインサーバ装置１（情報送信部１１５）から携帯位置地図情報が受信されたか否かの判定が行われる（Ｓ３０５）。携帯位置地図情報が受信されていないと判定された場合（Ｓ３０５でＮＯ）には、処理が待機状態とされる。携帯位置地図情報が受信されたと判定された場合（Ｓ３０５でＹＥＳ）には、店舗位置表示部２７７によって、ディスプレイ２２を介して携帯位置地図情報が表示され（Ｓ３０７）、処理がリターンされる。
【００６６】
図８は、図５に示すフローチャートのステップＳ１１３において実行される目的地設定処理の一例を示す詳細フローチャートである。目的地設定部２７６によって、目的地の位置を新規に入力するか否かの判定が行われる（Ｓ４０１）。新規に入力すると判定された場合（Ｓ４０１でＹＥＳ）には、目的地設定部２７６によって、入力部２１を介して目的地の位置及び名称が受け付けられ（Ｓ４０３）、受け付けられた目的地の位置及び名称が目的地記憶部２７５に格納される（Ｓ４０５）。
【００６７】
新規に入力しないと判定された場合（Ｓ４０１でＮＯ）には、目的地設定部２７６によって、目的地記憶部２７５から目的地の位置及び名称が読み出され、ディスプレイ２２に表示される（Ｓ４０７）。そして、目的地設定部２７６によって、入力部２１を介して選択入力が受け付けられ、受け付けられた選択入力に対応する目的地の位置及び名称が設定される（Ｓ４０９）。
【００６８】
ステップＳ４０５の処理が終了した場合、又は、ステップＳ４０９の処理が終了した場合には、位置送信部２７４によって、ステップＳ４０３又はステップＳ４０９で設定された目的地の位置情報が、ＧＰＳ機能を介して取得された端末位置情報と対応付けられてメインサーバ装置１へ送信される（Ｓ４１１）。次に、店舗位置表示部２７７によって、メインサーバ装置１から店舗名称情報、店舗位置情報、抽出地図情報、及び、経路情報が受信されたか否かの判定が行われる（Ｓ４１３）。受信されていないと判定された場合（Ｓ４１３でＮＯ）には、処理が待機状態とされる。受信されたと判定された場合（Ｓ４１３でＹＥＳ）には、店舗位置表示部２７７によって、ディスプレイ２２に店舗名称情報、店舗位置情報、抽出地図情報、及び、経路情報等が表示され（Ｓ４１５）、処理がリターンされる。
【００６９】
図９は、図５に示すフローチャートのステップＳ１１７において実行される条件設定処理の一例を示す詳細フローチャートである。なお、以下の処理は全て送信設定部２７１によって行われる。まず、送信設定部２７１により位置情報をメインサーバ装置１へ送信する設定である「検索設定ＯＮ」に設定されているか否かが判定される（Ｓ５０１）。「検索設定ＯＮ」に設定されていると判定された場合（Ｓ５０１でＹＥＳ）には、入力部２１を介して、検索設定ＯＦＦの入力が受け付けられたか否かの判定が行われる（Ｓ５０３）。検索設定ＯＦＦの入力が受け付けられたと判定された場合（Ｓ５０３でＹＥＳ）には、検索設定ＯＦＦ（＝送信設定部２７１により位置情報をメインサーバ装置１へ送信しない設定）に設定される（Ｓ５０５）。
【００７０】
ステップＳ５０１でＮＯの場合には、入力部２１を介して、検索設定ＯＮの入力が受け付けられたか否かの判定が行われる（Ｓ５０７）。検索設定ＯＮの入力が受け付けられたと判定された場合（Ｓ５０７でＹＥＳ）には、検索設定ＯＮ（＝送信設定部２７１により位置情報をメインサーバ装置１へ送信する設定）に設定される（Ｓ５０９）。ステップ５０３でＮＯの場合、ステップ５０７でＮＯの場合、ステップＳ５０５の処理が終了した場合、又は、ステップ５０９の処理が終了した場合には、条件設定処理を終了するか否かの判定が行われる（Ｓ５１１）。条件設定処理を終了しないと判定された場合（Ｓ５１１でＮＯ）には、処理がステップＳ５０１に戻され、ステップＳ５０１以降の処理が繰り返し実行される。条件設定処理を終了すると判定された場合（Ｓ５１１でＹＥＳ）には、処理がリターンされる。
【００７１】
このようにして、メインサーバ装置１によって、携帯電話機２から、ＧＰＳ機能によって取得された、携帯電話機２の位置情報である端末位置情報が受け付けられ、受け付けられた端末位置情報に対応する位置から予め設定された所定範囲内に、記録紙上に画像を形成する画像形成装置が配設された店舗の所在地が存在している店舗の店舗位置情報が、地図情報に基づいて抽出され、抽出された店舗位置情報が、携帯電話機２に送信される。そして、携帯電話機２によって、メインサーバ装置１から店舗位置情報が受信され、ディスプレイ２２に視認可能に表示されるため、印刷出力の可能な場所を容易に探すことができる。
【００７２】
すなわち、ユーザが携帯する携帯電話機２の位置から所定範囲内に存在している店舗の所在地の位置を示す店舗位置情報が、携帯電話機２のディスプレイ２２に視認可能に表示されるため、ユーザは、携帯電話機２のディスプレイ２２に表示された店舗位置情報によって印刷出力の可能な場所を容易に探すことができるのである。
【００７３】
また、ユーザが携帯する携帯電話機２の位置から所定範囲内に存在している店舗の名称を示す店舗名称情報が、携帯電話機２のディスプレイ２２に視認可能に表示されるため、ユーザは、携帯電話機２のディスプレイ２２に表示された店舗名称情報によって印刷出力の可能な場所を更に容易に探すことができる。
【００７４】
更に、端末位置情報に対応する位置と、店舗位置情報に対応する位置と、を含む地図情報である抽出地図情報が、携帯電話機２のディスプレイ２２に視認可能に表示されるため、ユーザは、携帯電話機２のディスプレイ２２に表示された店舗名称情報によって印刷出力の可能な場所を更に容易に探すことができる。
【００７５】
加えて、ファイルサーバ装置３から文字情報及び画像情報の少なくとも一方が格納されたファイル情報が取得される度に、携帯電話機２から端末位置情報がメインサーバ装置１へ送信されるため、メインサーバ装置１から、ユーザが携帯する携帯電話機２の位置から所定範囲内に存在している店舗の所在地の位置を示す店舗位置情報が受信され、携帯電話機２のディスプレイ２２に視認可能に表示されるので、印刷出力の可能な場所を更に容易に探すことができる。
【００７６】
すなわち、ユーザがファイルサーバ装置３からファイル情報を取得した際に、携帯電話機２の入力部２１に配設された操作キー等を操作して端末位置情報をメインサーバ装置１へ送信する必要がないため、操作が簡略化され、印刷出力の可能な場所を更に容易に探すことができるのである。
【００７７】
また、入力部２１を介してユーザからの操作入力を受け付けて、受け付けた操作入力に基づいて、位置情報をメインサーバ装置１へ送信しないと設定されている場合には、位置情報をメインサーバ装置１へ送信することが禁止されるため、利便性を向上することができる。
【００７８】
すなわち、ユーザが店舗位置情報を受信する必要がない場合（例えば、予め店舗位置情報を有している場合）、又は、携帯電話機２を他の用途に（例えば、通常の電話機能として）使用したい場合等においては、ユーザが位置情報をメインサーバ装置１へ送信しないと設定することによって、位置情報をメインサーバ装置１へ送信することが禁止されるため、利便性を向上することができるのである。
【００７９】
更に、端末位置情報に対応する位置からの距離が最も短い位置に、所在地が存在している店舗の店舗位置情報が抽出され、携帯電話機２のディスプレイ２２に視認可能に表示されるため、ユーザは、携帯電話機２のディスプレイ２２に表示された店舗位置情報によって印刷出力の可能な場所を更に容易に探すことができる。
【００８０】
加えて、携帯電話機２から目的地の位置情報が受け付けられ、端末位置情報に対応する位置から目的地の位置までの経路が生成される。そして、生成された経路から予め設定された所定範囲内に、店舗位置情報に対応する所在地が存在している店舗の店舗位置情報が抽出されて、携帯電話機２のディスプレイ２２に視認可能に表示されるため、ユーザは、携帯電話機２のディスプレイ２２に表示された店舗位置情報によって印刷出力の可能な場所を更に容易に探すことができる。
【００８１】
すなわち、ユーザが目的地に到着するまでに（＝目的地への移動中に）印刷出力することを所望する場合には、端末位置情報に対応する位置から目的地の位置までの経路に近接して配設された店舗を探すことが可能となるため、印刷出力の可能な場所を更に容易に探すことができるのである。
【００８２】
また、目的地記憶部２７５から目的地の位置情報が読み出されて、外部から選択可能に表示されると共に、入力部２１を介してユーザからの目的地の位置を選択する操作入力が受け付けられて、受け付けられた操作入力に対応する目的地の位置が設定されるため、目的地の位置を容易に設定することができるので、利便性を向上することができる。
【００８３】
なお、本発明は、以下の形態にも適用可能である。
（Ａ）本実施形態では、移動体通信端末装置が、携帯電話機２である場合について説明するが、通信装置と無線通信を介して通信可能に接続されたＰＤＡ（Ｐｅｒｓｏｎａｌ  Ｄｉｇｉｔａｌ  Ａｓｓｉｓｔａｎｔｓ）等の他の形態の移動体通信端末装置でもよい。移動体通信端末装置が、例えば、車両に搭載されるナビゲーション装置等である形態でもよい。
【００８４】
（Ｂ）本実施形態では、メインサーバ装置１が、経路生成部１１２、店舗抽出部１１３、地図生成部１１４、地図記憶部１２１、及び、店舗記憶部１２２を備える場合について説明したが、携帯電話機２が、経路生成部１１２、店舗抽出部１１３、地図生成部１１４、地図記憶部１２１、及び、店舗記憶部１２２の内、少なくとも１の機能部を備える形態でもよい。例えば、携帯電話機２が、地図記憶部１２１を備える場合には、メインサーバ装置１から地図情報（＝抽出地図情報及び携帯位置地図情報）を受信する必要がないため、処理が高速化される。
【００８５】
（Ｃ）本実施形態では、経路生成部１１２が予め設定されたルールに則って経路を生成する場合について説明したが、携帯電話機２を介してユーザが経路を入力する形態でもよい。また、経路生成部１１２が複数の経路を生成し、携帯電話機２を介してユーザが選択する形態でもよい。これらの場合には、更に、利便性を向上することができる。
【図面の簡単な説明】
【００８６】
【図１】は、本発明に係る通信システムの接続状態の一例を示す構成図である。
【図２】は、メインサーバ装置及びファイルサーバ装置の構成の一例を示す構成図である。
【図３】は、携帯電話機の構成の一例を示す構成図である。
【図４】は、携帯電話機の制御部、及び、メインサーバ装置のＣＰＵ、ＲＡＭの機能構成の一例を示す構成図である。
【図５】は、携帯電話機（主に制御部）の動作の一例を示すフローチャートである。
【図６】は、図５に示すフローチャートのステップＳ１０５において実行される近接店舗位置表示処理の一例を示す詳細フローチャートである。
【図７】は、図５に示すフローチャートのステップＳ１０９において実行される携帯位置表示処理の一例を示す詳細フローチャートである。
【図８】は、図５に示すフローチャートのステップＳ１１３において実行される目的地設定処理の一例を示す詳細フローチャートである。
【図９】は、図５に示すフローチャートのステップＳ１１７において実行される条件設定処理の一例を示す詳細フローチャートである。
【符号の説明】
【００８７】
１    メインサーバ装置（第１サーバ装置）
１１    ＣＰＵ
１１１    位置受付部（位置受付手段）
１１２    経路生成部（経路生成手段）
１１３    店舗抽出部（店舗抽出
１１４    地図生成部（地図生成手段）
１１５    情報送信部（情報送信手段）
１２    ＲＡＭ
１２１    地図記憶部（地図記憶手段）
１２２    店舗記憶部（店舗記憶手段）
２    携帯電話機（移動体通信端末装置）
２１    入力部
２２    ディスプレイ
２７    制御部
２７１    送信設定部（送信設定手段）
２７２    送信禁止部（送信禁止手段）
２７３    ファイル取得部（ファイル取得手段）
２７４    位置送信部（位置送信手段）
２７５    目的地記憶部（目的地記憶手段）
２７６    目的地設定部（目的地設定手段）
２７７    店舗位置表示部（店舗位置表示手段）
３    ファイルサーバ装置（第２サーバ装置）
【図１】
2008102653.tif 000003
【図２】
2008102653.tif 000004
【図３】
2008102653.tif 000005
【図４】
2008102653.tif 000006
【図５】
2008102653.tif 000007
【図６】
2008102653.tif 000008
【図７】
2008102653.tif 000009
【図８】
2008102653.tif 000010
【図９】
2008102653.tif 000011